(57)【要約】【課題】  座板に二方向の緩やかな傾斜を持たせ坐骨部分への圧迫を緩和させることにより、座板にクッション等用いなくても長時間の快適な使用ができるようにする。【解決手段】  緩やかなＶ字形傾斜を持たせた座板固定材３に、左右２枚の座板１を固定密着させ、さらに左右２枚の脚板２を座板固定材３及び座板１に固定密着させた座椅子において、緩やかなＶ字形傾斜が本考案の主な特徴である。また、脚板２を左右に固定する幅は正座の時広がり過ぎないよう、また、脚板２の床から座板１の上部までの高さは正座時やあぐらの姿勢で座る時に高すぎず低すぎないように安定感が保てる適正な寸法にすることにより、使用時に坐骨部分への痛みを緩和させると同時に膝や足にかかる負担も少なくし、安定した楽な姿勢が保てる座椅子として機能する。【選択図】  図１
0003121260.tif 000002
【実用新案登録請求の範囲】
【請求項１】
緩やかなＶ字形に傾斜させた座板固定材に左右２枚の座板を固定密着させ、さらに左右２枚の脚板を前記座板固定材及び前記座板に固定密着した小型座椅子。
【考案の詳細な説明】
【技術分野】
【０００１】  この考案は、座板を緩やかなＶ字形に傾斜させた正座用の小型座椅子に関する。
【背景技術】
【０００２】  従来の軽量小型の座椅子は腰掛ける座板の面が一平面に平らであるため、座板が平らな座椅子は長時間使用していると坐骨部分が痛くなり、快適な正座姿勢が困難になり、疲れる。【０００３】  座面が曲面の座椅子もあるが、中央の凹む円形であったり、浴室用であったり、健康器具としてのポリウレタン製クッションであり、それぞれの用途ではあるが室内用の正座椅子としての機能はない。【０００４】  また、特許文献に「正座椅子」があり、膝への負担や正座姿勢を保ちやすくする為の座板の一方向へ傾斜を取り入れたものがあるが、座面の部分が一平面であり、坐骨部分の痛みへの緩和にはならない。
【特許文献１】実用新案登録第３１０５８８０号公報
【考案の開示】
【考案が解決しようとする課題】
【０００５】  従来の正座椅子は、腰掛ける座板の面が一平面に平らであり、座面が平らである座椅子は坐骨部分への圧迫があり長時間使用していると痛みや苦痛が生じ、座面にクッション等を用いないと長時間の快適な使用ができないという問題がある。【０００６】  また、健康器具等は、そのものの用途はあるが室内用の正座椅子としての機能が薄いため、正座のための座椅子としたては、また、室内の調度品としてもその存在に違和感があり、使い勝手がよくないという問題がある。
【課題を解決するための手段】
【０００７】  緩やかなＶ字形に傾斜を持たせた座板固定材に、左右２枚の座板を固定密着させ、さらに左右２枚の脚板を座板固定材及び座板に固定密着させた座椅子において、緩やかなＶ字形傾斜が本考案の主な特徴であり、使用時に坐骨部分への負担を保護し、痛みを緩和させる座椅子機能を持たせる。【０００８】  脚板を左右に固定する幅は、正座の時広がり過ぎず且つ安定感が保てるように固定し、また、脚板の床から座板上部までの高さは、正座時やあぐらの姿勢で座る時に高すぎず低すぎずの適正な寸法にする。【０００９】  固定密着の仕方は、堅牢さと室内用調度品として違和感がないように、木工用ボンドと木製のダボ、または木ねじを併用する。
【考案の効果】
【００１０】  本考案は、緩やかなＶ字形傾斜に設置された座板が、座ったときに大臀筋との接触面積を増し坐骨の座板に当たる圧迫が和らげられ、座っていても坐骨部分がゴツゴツして痛くなったりしないので苦痛がなく長時間座って居られ、また、違和感なく安定感もある。【００１１】  脚板の左右に固定する幅は、正座時に折り曲げた足が広がり過ぎず、また安定感も保てるので、長時間利用しても脚にかかる体重の負担もなく、疲れず、腰や足への負担を和らげられる。【００１２】  また、日常手軽に使えるように小型軽量で持ち運びがしやすく、クッション等用いずして長時間の使用が可能である。さらに木製であるため室内の調度品としても違和感がない。【００１３】  本考案の緩やかなＶ字形傾斜を持つ座椅子は、床面に置いて膝を折って正座の姿勢で座ることのほかに、膝を前に伸ばして座ることもできるし、また、あぐらをかく姿勢でも座ることができて、使用の時の姿勢を限定したり、固定したりしないので、日常生活の中で、極めて使い勝手が良い。【００１４】  上記のように膝を前に伸ばしても膝を折って正座の姿勢やあぐらの姿勢をとっても、足や膝への負担を和らげることが出きるので、「健常者」はもちろんのこと、「足や膝が痛む人」に座る姿勢を補助できるし、「足や膝に負担がかけられない人」特に「老人」には足や膝に負担がかからないように座る姿勢をしっかり補助することができるし、「体重がある人」にも体重を支える足への負担が減り、「腰痛の人」にもその痛みを和らげて長時間使用できるし、さらに「痔を患っている人」にとっても臀部中央部への圧迫が緩和されるので、これも痛みを和らげて座る姿勢を補助することができる。
【考案を実施するための最良の形態】
【００１５】  次に本考案の、座椅子の実施の形態について、以下、図面に示す実施例に従って説明する。
図１は、座椅子の基本的構造の上方斜視図であり、図２は、正面図である。【００１６】  本考案の座椅子の形態である基本構造は、図１、図２で示すように緩やかなＶ字形傾斜を持たせた座板固定材３に左右２枚の座板１を固定密着させ、さらに左右２枚の脚板２を座板固定材及び座板に固定密着させた座椅子である。【００１７】  本考案の座椅子の具体的な規格や材料は、次の通りである。図２で分かるように座板固定材３は、上面でＶ字形に緩やかな傾斜角８〜１０度位の角を作り、板厚は３ｃｍ前後、板幅は５〜６ｃｍぐらいで、充分な丈夫さを確保し、この座椅子の主要素である骨組みとなる。【００１８】  図３（ａ）では、座椅子の座板１は左右同形であり、大きさは左右の合計の横幅はおおよそ３５ｃｍ前後、座板の奥行幅は２５ｃｍ前後であり、座板の厚さはおおよそ２〜３ｃｍが好ましい。【００１９】  また、図３（ａ）では、左右の座板１は中央部分で１〜２センチ離して取り付けるが、図３（ｂ）のようにこの左右の座板１を、中央部分を密着させて取り付けることもできる。【００２０】  また、その他にも左右の座板１を円形にすることもできるし、使用時に快適さを失わない平面であれば、具象形を用いることも可能である。【００２１】  図４（ａ）で示す脚板２は、奥行幅を座板１より少し狭くし、下部から上部の方向にさらに傾斜をつけながら狭くして形を整え、また、図４（ｂ）で示すように脚板２に透かし彫りを入れることにより、美観、軽量化、安定感をも持たすようにする。【００２２】  脚板２の床面から座板上部までの高さは、中央の低い部分で約１２センチ前後にし、脚板２を取り付ける左右の間隔は２４〜２８ｃｍ位にする。【００２３】  図５のように、座板固定材３を複数本使用して、材料をほそめたしり、堅牢さを増したりする事も可能である。
【図面の簡単な説明】
【００２４】
【図１】  全体を表す斜視図
【図２】  正面図（背面図は対称のため省略）
【図３】  平面図（ａ）  平面図（ｂ）
【図４】  側面図（ａ）  側面図（ｂ）
【図５】  裏面図（ａ）  裏面図（ｂ）
【符号の説明】
【００２５】１、座板
２、脚板
３、座板固定材
【図１】
0003121260.tif 000003
【図２】
0003121260.tif 000004
【図３】
0003121260.tif 000005
【図３】
0003121260.tif 000006
【図４】
0003121260.tif 000007
【図４】
0003121260.tif 000008
【図５】
0003121260.tif 000009
【図５】
0003121260.tif 000010
【手続補正書】
【提出日】平成18年2月16日(2006.2.16)
【手続補正１】
【補正対象書類名】図面
【補正対象項目名】図３
【補正方法】変更
【補正の内容】
【図３】
0003121260.tif 000011
【手続補正２】
【補正対象書類名】図面
【補正対象項目名】図４
【補正方法】変更
【補正の内容】
【図４】
0003121260.tif 000012
【手続補正３】
【補正対象書類名】図面
【補正対象項目名】図５
【補正方法】変更
【補正の内容】
【図５】
0003121260.tif 000013